(57)【特許請求の範囲】
【請求項１】
歯科治療用ハンドピース等のドクター用具を備えたドクター装置部と、排唾用バキューム管等のアシスタント用具を備えたアシスタント装置部とによりユニット本体を構成するとともに当該ユニット本体のドクター装置部とアシスタント装置部との両装置部を、搬送時には一体にし、使用時には分割することができるように構成した訪問診療用歯科治療装置において、
前記ドクター装置部とアシスタント装置部は、把手１１を備えるドクター装置部２の装置枠体２３と、この枠体２３の正面側に蓋体１２ｂ、背面側にアシスタント装置部３を構成する蓋体１２ａをそれぞれ被覆自在に装着し、かつ両蓋体１２ａ，１２ｂに取付けた係止フック１８ａ，１８ｂを前記装置枠体２３の把手１１側に取付けた係止突起１８ｃに係止することができるように構成するとともに前記ドクター装置部２は、前記装置枠体２３の正面側壁２３ａにトリプルシリンジ５等のインスツルメント８をハンガー９を介して引き出し自在に備え、かつ前記正面側壁２３ａの下部２３ｃに前記インスツルメント８に動力電源を供給するための電源用プラグ２０をコード２１を介して電源部に電気的に接続しうるように構成し、さらに前記アシスタント装置部３は、前記蓋体１２ａに、排唾を空気と共に吸引誘導するバキュームホース１４を連結しこのホース１４にて吸引した排唾を気液分離するセパレータ部１３を配備すると共に、前記セパレータ部１３の下面に前記セパレータ部１３を吸引装置に接続する吸引ホース１７を装備することにより構成したことを特徴とする訪問診療用歯科治療装置。
【請求項２】
前記ユニット本体１と当該ユニット本体１に圧縮空気を供給する空気圧縮装置部３５とを積み重ね可能に構成するとともに、ユニット本体１と空気圧縮装置部３５を専用搬送車としてのキャリーカート３６にて搬送するために、前記ユニット本体１と前記空気圧縮装置部３５及び当該専用搬送車としてのキャリーカート３６の荷台３７との相互間に荷崩れ防止用の係止部４０，４１を設けることにより構成したことを特徴とする請求項１記載の訪問診療用歯科治療装置。
【発明の詳細な説明】
【０００１】
【発明の属する技術分野】
本発明は、歯科治療用ハンドピース等のドクター用具を備えたドクター装置部と、排唾用バキューム管等の吸引装置を備えたアシスタント装置とから成るユニット本体にて構成した訪問診療用歯科治療装置に関する。
【０００２】
【従来の技術】
従来の訪問診療用歯科治療装置としては、特開平８−１９６５５４号公報及び特開平９−１４０７３３号公報に開示された往診用歯科治療ユニットが公知である。そしてこれらの歯科治療ユニットは、図１１に示すように治療ユニット５１の正面にハンドピース５５、バキューム管５６、トリプルシリンジ５７等が、また背面側に排唾用気液分離タンク（不図示）が設けられており、治療ユニット５１の正面及び背面が蓋体５８ａ及び５８ｂ（不図示）にて覆われ、かつ上部には把手５９が設けられている。そしてこれらは図１２に示すようにコンパクトに一体化して持ち運びすることが可能となっている。また、治療ユニット５１にはバキューム装置（例えば家庭用掃除機）６０が接続可能であり、その吸引力にて排唾を吸引することができるように構成されている。
【０００３】
なお、治療ユニット５１には、圧縮空気を供給する圧縮装置（不図示）が内部に固定された方式と、治療ユニット５１から完全に分離された方式とがある。
【０００４】
【発明が解決しようとする課題】
しかしながら前記従来の訪問診療用歯科治療装置は、吸引装置が治療装置内に一体的に構成されているために、往診先にて歯科治療をする際に、ドクターは治療装置を自分の手元に配置してハンドピース等を使用するために、患者を挟んで対向側に位置するアシスタントはドクター側に配置された治療装置から排唾用吸引具を引き出して患者越しに使用しなけばならないという問題があった。その他に治療装置は持ち運びができるように把手が設けられてはいるものの相当な重量物であるために搬送が容易ではないという問題があった。
【０００５】
よって本発明は前記問題点に鑑みてなされたものであり、訪問先での歯科治療時に、ドクターとアシスタントの診療動線が患者を跨ぐことなく診療ができ、患者に不快感を与えることなく診療効率を向上しうる訪問診療用歯科治療装置の提供を目的とする。
【０００６】
【課題を解決するための手段】
上記目的を達成するために本発明に係る請求項１の発明は、歯科治療用ハンドピース等のドクター用具を備えたドクター装置部と、排唾用バキューム管等のアシスタント用具を備えたアシスタント装置部とによりユニット本体を構成するとともに当該ユニット本体のドクター装置部とアシスタント装置部との両装置部を、搬送時には一体にし、使用時には分割することができるように構成した訪問診療用歯科治療装置において、前記ドクター装置部とアシスタント装置部は、把手１１を備えるドクター装置部２の装置枠体２３と、この枠体２３の正面側に蓋体１２ｂ、背面側にアシスタント装置部３を構成する蓋体１２ａをそれぞれ被覆自在に装着し、かつ両蓋体１２ａ，１２ｂに取付けた係止フック１８ａ，１８ｂを前記装置枠体２３の把手１１側に取付けた係止突起１８ｃに係止することができるように構成するとともに前記ドクター装置部２は、前記装置枠体２３の正面側壁２３ａにトリプルシリンジ５等のインスツルメント８をハンガー９を介して引き出し自在に備え、かつ前記正面側壁２３ａの下部２３ｃに前記インスツルメント８に動力電源を供給するための電源用プラグ２０をコード２１を介して電源部に電気的に接続しうるように構成し、さらに前記アシスタント装置部３は、前記蓋体１２ａに、排唾を空気と共に吸引誘導するバキュームホース１４を連結しこのホース１４にて吸引した排唾を気液分離するセパレータ部１３を配備すると共に、前記セパレータ部１３の下面に前記セパレータ部１３を吸引装置に接続する吸引ホース１７を装備することにより構成したことを特徴とする。
【０００７】
請求項１の発明によれば、ユニット本体をドクター装置部とアシスタント装置部とを分割できるように構成したことにより、訪問先で診療をする際に前記両者を分離してドクター装置部をドクター側に、アシスタント装置部をアシスタント側に配置することが可能となり、アシスタントはアシスタント用具を患者越しに使用なくてもよくなる。
【０００８】
特に前記ドクター装置部２とアシスタント装置部３は、搬送時には一体にし、使用時には分割することができるユニット本体１にて構成したものであるからドクター装置部２とアシスタント装置部３とは相互間が分離可能であると共に、それぞれを一体化したユニット本体１として搬送することが可能である。
【００１０】
又前記ユニット本体１のドクター装置部２とアシスタント装置部３は、把手１１を備えるドクター装置部２の装置枠体２３と、この枠体２３の正面側に蓋体１２ｂ、背面側にアシスタント装置部３を構成する蓋体１２ａをそれぞれ被覆自在に装着すると共に両蓋体１２ａ，１２ｂに取付けた係止フック１８ａ，１８ｂを前記装置枠体２３の把手１１側に取付けた係止突起１８ｃに係止することができるように構成したものであるからドクター装置部２とアシスタント装置部３は、装置枠体２３を中心にしてその正面と背面が蓋体１２ａ，１２ｂにて覆われ、しかも蓋体１２ａ，１２ｂは装置枠体２３に対して係止フック１８ａ，１８ｂを係止突起１８ｃに係止して一体化することができるので、搬送中に相互間が分離されることがなく、安全に搬送することが可能となる。
【００１２】
さらに前記ユニット本体１のドクター装置部２は、装置枠体２３の正面側壁２３ａにトリプルシリンジ５等のインスツルメント８をハンガー９を介して引き出し自在に備えると共に、正面側壁２３ａの下部２３ｃに前記インスツルメント８等に動力電源を供給するための電源用プラグ２０をコード２１を介して電源部に電気的に接続しうるように構成したものであるからドクター装置部２には歯科診療に必要な用具が備えられているので、診療時にドクター専用としてドクター側に配置することが可能となる。
【００１４】
加えて、前記ユニット本体１のアシスタント装置部３は、蓋体１２ａ、排唾を空気と共に吸引誘導するバキュームホース１４を連結しこのホース１４にて吸引した排唾を気液分離するセパレータ部１３を配備すると共に、前記セパレータ部１３の下面に前記セパレータ部１３を吸引装置に接続する吸引ホース１７を装備することにより構成したものであるから当該アシスタント装置部３は、アシスタントの用具として必要なバキュームホースや排唾を気液分離するセパレータ部１３などを備えているので、診療時にはドクター装置部２から分離してアシスタント側に配置し、アシスタント専用として使用することができる。
【００１６】
請求項２の発明は、前記ユニット本体１と当該ユニット本体１に圧縮空気を供給する空気圧縮装置部３５とを積み重ね可能に構成するとともに、ユニット本体１と空気圧縮装置３５を専用搬送車としてのキャリーカート３６にて搬送するために、前記ユニット本体１と前記空気圧縮装置部３５及び当該専用搬送車としてのキャリーカート３６の荷台３７との相互間に荷崩れ防止用の係止部４０，４１を設けることにより構成したことを特徴とする請求項１記載の訪問診療用歯科治療装置である。
【００１７】
請求項２の発明によれば、ユニット本体１と空気圧縮装置部３５及び専用搬送車としてのキャリーカート３６の荷台３７との相互間に係止部４０，４１が設けられているので、搬送の際に、積荷相互及び荷台３７とのずれが防止され、訪問診療用歯科治療装置を安全に搬送することが可能となる。
【００１８】
【発明の実施の形態】
以下、本発明の実施の形態を図面に基づいて説明する。
なお各実施の形態において共通の要旨は共通の符号を付して対応させることにより重複する説明を省略する。
【００１９】
（実施の形態１）
図１から図５は本発明の実施の形態１に係り、図１はユニット本体の概略構成を示す一部断面図、図２（ａ）はドクター装置部の側面図、（ｂ）は同正面図、図３（ａ）はアシスタント装置部の内面を示す図、（ｂ）は同一部を断面にした側面図、（ｃ）は同外面図、（ｄ）は同上面図、図４（ａ）は蓋体内面図、（ｂ）は同一部を断面にした側面図、（ｃ）は同背面図、（ｄ）は同上面図、図５はドクター装置部とアシスタント装置部との装着状態を示す図である。
【００２０】
図１に示すように、本発明の訪問診療用歯科治療装置は、ドクター装置部２と、蓋体１２ａに一体的に備えられたアシスタント装置部３と、蓋体１２ｂとによりユニット本体１が構成されている。
【００２１】
その詳細としてドクター装置部は、図２（ａ）〜（ｄ）に示すように、装置枠体２３の正面側壁２３ａにトリプルシリンジ５、マイクロモーターハンドピース又はエアタービンハンドピース６、スケーラ７等のインスツルメント８がハンガー９に引き出し自在に備えられ、その下部にトリプルシリンジ５及びエアタービンハンドピース６等に圧力水を供給するための動力電源用のプラグ２０がコード２１を介して電気的に接続しうるように設けられている。
【００２２】
また、ドクター装置部２の装置枠体２３の背面壁２３ｂには圧力水用の貯水タンク１０が備えられ、上部には持ち運び用の把手１１が設けられている。
【００２３】
なお、前記ハンガー９はその一端が立て方向の軸９ａに支持され、軸９ａはその上端がブロック９ｂ及び正面側壁２３ａ側に固定された支持部材９ｃを介して回動自在に構成されており、ドクターはハンガー９を回動してインスツルメント８を診療に好都合な位置に移動させることができるようになっている。
【００２４】
また、図２（ｂ）中の符号２２は操作パネルを示し、図２（ａ）中の符号４８は空気圧縮装置部からドクター装置部２への空気取り込み及び電源供給用の穴を示している。
【００２５】
また、アシスタント装置部３は、図３（ａ）〜（ｄ）に示すように、蓋体１２ａの内側に、排唾を空気と共に吸引誘導するバキュームホース１４を連結し、このホース１４にて吸引された排唾を気液分離するためのセパレータ部１３が蓋体１２ａの内壁に固定され、セパレータ部１３の下面にはセパレータ部１３に吸引装置、例えば家庭用電気掃除機等を装着する吸引ホース１７が連結されている。
【００２６】
そして、バキュームホース１４の端部には図示しない吸引ノズルを着脱自在に装着する装着口１５が設けられ、装着口１５はセパレータ部１３上端に支持杆１６ａ介して支持されたハンガー１６に係脱自在に係止されており、一方、セパレータ部１３の下面には吸引ホース１７が接続され、その開放端には例えば家庭用掃除機等の吸引装置を着脱自在に装着する装着口１９が設けられている。
【００２７】
またセパレータ部１３内には点線にて示すようにセパレータタンク２４が載置されており、接続された図示しない吸引装置の吸引力にてセパレータタンク２４内の空気が吸引されることにより排唾がバキュームホース１４を経て、ノズル２５から空気と共にセパレータタンク２４内に排出される。この時、気液が分離されて排唾２６はセパレータタンク２４内に溜まり、空気２７はセパレータタンク２４の上部から吸引ホース１７を経て図示しない吸引装置の排出口から大気中に放出される。
【００２８】
更に、前記セパレータ部１３は、その前面に蝶番２９を介して開閉自在な扉２８が設けられており、セパレータタンク２４に溜まった排唾２６は扉２８を開けてセパレータタンク２４と共に取り出し、処分することができるようになっている。
【００２９】
なお、図３中の符号１１ａはアシスタント装置部３をドクター装置部２から分離して持ち運びすることができるようにした細長凹形状の把手を示し、１８ａはドクター装置部２の係止突起１８ｃに係止する係止フックを示す。そしてアシスタント装置部３のドクター装置部２に対する装着は、図１に示すようにアシスタント装置部３の低部４ａをドクター装置部２の座部４ｂに載置すると共にアシスタント装置部３の係合縁４９ａ（図３）をドクター装置部２の係合縁４８ｂに係合し、上部の掛止フック１８ａと１８ｃ間を掛止して一体化することができるようになっている。
また、吸引装置は家庭用掃除機に限らずバキュームモータを用いてもよい。
【００３０】
一方、蓋体１２ｂは、図４（ａ）から（ｄ）に示すように、上部にドクター装置部２から分離して持ち運びすることができるようにした細長凹形状の把手１１ｂが設けられ、更に、頂部にはドクター装置部２の係止突起１８ｃに係止する係止フック１８ｂが設けられていて、ドクター装置部２の正面、即ちインスツルメント８が設けられた側を覆うことができるようになっている。
【００３１】
この場合、蓋体１２ｂのドクター装置部２に対する装着は、図１に示すように蓋体１２ｂの低部４ｃをドクター装置部２の座部４ｄに載置すると共に蓋体１２ｂの係合縁４９ｂ（図４）をドクター装置部２の係合縁４８ａに係合し、上部の掛止フック１８ｂと１８ｃ間を掛止して一体化することができるようになっている。
【００３２】
以上の構成のアシスタント装置部３をドクター装置部２の背面、即ち貯水タンク１０側に装着した場合に、ドクター装置部２側に備えられた貯水タンク１０とアシスタント装置部３側に備えられたセパレータ部１３との相対的位置関係は、図５に示すように左右の空間を補完し合い、また貯水タンク１０とバキュームホース１４とは重なり合った状態にて装着が可能となっている。
【００３３】
実施の形態１によれば、訪問診療用歯科治療装置をドクター装置部２とアシスタント装置部３とに分離し、かつ両者間を着脱自在なユニット本体１に構成したことにより、ドクター装置部２とアシスタント装置部３とを一体化し、ユニットとして搬送することが可能になると共に、歯科治療時には前記両者間を分離してドクター装置部２をドクター側に、アシスタント装置部３をアシスタント側に配置することが可能となり、アシスタント用具を患者越しに使用しなくてもよくなる。
【００３４】
（実施の形態２）
図６（ａ）から（ｄ）は本発明の実施の形態２に係り、図６（ａ）は搬送車に本発明の訪問診療用歯科治療装置を積載した側面図、（ｂ）は同正面図、（ｃ）は同背面図、（ｄ）は同上面図である。
【００３５】
本実施の形態は、本発明の訪問診療用歯科治療装置を専用搬送車に積載して搬送することを可能に構成したものである。
【００３６】
専用搬送車３６は図に示すように、荷台３７の下面に一対の車輪３８が設けられ、荷台３７の一端から上方に向かって運搬用把手３９が立設されたキャリーカートである。
【００３７】
一方、本実施の形態における本発明の訪問診療用歯科治療装置は、前記実施の形態１にて説明したドクター装置部２とアシスタント装置３から成るユニット本体１と空気圧縮装置部３５とに分離して積み重ね可能に構成され、このユニット本体１と空気圧縮装置部３５とをキャリーカート３６の荷台３７に積んで搬送する際に積み荷がづれないようにするために、ユニット本体１と空気圧縮装置部３５とキャリーカート３６の荷台３７との重ね合わせ面相互間に凹凸形状が係合し合うずれ止め防止用の係止部４０，４１が設けられ、更に運搬用把手３９の略中央にはユニット本体１を側面から締めつけて積み荷の倒れを防止するベルト４２が設けられている。なお、ベルト４２はバックル４３を介して係脱自在である。
【００３８】
また、荷台３７の前方には荷台３７を水平に保つ支持脚４４が設けられている。
【００３９】
実施の形態２によれば、訪問先に出向く際にユニット本体１及び空気圧縮装置部３５を院内の所定の位置から屋外の運搬車両まで、あるいは訪問先にて運搬車両から患者の住居まで等の間をキャリーカート３６にて搬送することが可能となり、キャリーカート３６が使用できない短距離のみを手で持ち運べばよいことになるので搬送が容易になる。
【００４０】
また、ユニット本体１と空気圧縮装置部３５及び空気圧縮装置部３５とキャリーカート３６の荷台３７相互間がずれ止め４０，４１にて係合され、しかもユニット本体１の側面がベルト４２にてキャリーカート３６の運搬用把手３９に掛止されているので、荷積み操作が容易であると共に積み荷のずれや倒れが防止され、搬送が安全かつ容易になる。
【００４１】
更に、空気圧縮装置部３５がドクター装置部２から分離されているので、空気圧縮装置部３５を患者から離れた位置に配置することができ、運転による騒音を避けることが可能となる。
【００４２】
（実施の形態３）
図７から図１０は本発明の実施の形態３に係り、図７はドクター装置部に空気圧縮装置を備えた斜視図、図８はアシスタント装置部の正面を示す斜視図、図９は蓋体の背面を示す斜視図、図１０は空気圧縮装置を引き出した状態を示す斜視図である。
【００４３】
本実施の形態では、前記実施の形態１において空気圧縮装置部３５をドクター装置部２から切り離して両者を積み重ね可能に構成したことに替えて、図７に示すように空気圧縮装置部４５をドクター装置部２のパネル２２下方の台板４７上に装脱自在に設けた例を示すものである。
【００４４】
そして、図７から図９に示すように、ドクター装置部２の正面は前記実施の形態１と同様に蓋体１２ｂにて覆われ、ドクター装置部２の背面は内面にアシスタント装置部３が設けられた蓋体１２ａにて覆われている。一方、空気圧縮装置部４５は図１０に示すように長いホース４６を介してドクター装置部２に接続されている。これにより空気圧縮装置４５はドクター装置部２から外して患者から離れた位置に配置することが可能となっている。
【００４５】
また、ドクター装置部２の上部には把手１１が設けられており、ドクター装置部２の背面にはアシスタント装置部３が内蔵された蓋体１２ａが、正面には蓋体１２ｂが前記実施の形態１と同様に係止フック１８ａ，１８ｂ及び係止突起１８ｃを介して着脱自在に装着可能であり、一体化して持ち運ぶことが可能となっている。また、ドクター装置部２の下面と前記実施の形態２におけるキャリーカート３６の荷台３７相互間には、係合して位置ずれを防止する図示しない凹凸形状のずれ止めが形成され、ユニット本体１が倒れないように側面が図示しないベルトを介してキャリーカート３６の運搬用把手３９に締めつけられ、安全に搬送することが可能となっている。
【００４６】
実施の形態３によれば、空気圧縮装置部４５をドクター装置部２内に長いホース４６を介して装脱自在に設けたことにより、空気圧縮装置部４５をドクター装置部２から外して患者から離れた位置、例えば屋外等に配置することができ、空気圧縮装置部４５の運転による騒音を避けることが可能となる。更に、キャリーカート３６にて安全かつ容易に搬送することが可能である。
【００４７】
【発明の効果】
以上説明したように本発明によれば、訪問診療用歯科治療装置を構成するユニット本体をドクター装置部とアシスタント装置部とに分離しかつその相互間を着脱自在に構成したことにより、訪問治療の際にその相互間を一体的に結合して搬送し、治療時には前記両者間を分離してドクター装置部をドクター側に、アシスタント装置部をアシスタント側に配置することが可能となり、アシスタントはアシスタント用具を患者越しに使用しなくてもよくなる。
【００４８】
また、ユニット本体と空気圧縮装置部とを分離し、積み重ねて専用搬送車にて搬送することを可能に構成したことにより、搬送が安全かつ容易になると共に、空気圧縮装置部がユニット本体から分離されているので空気圧縮装置部を患者から離れた位置に配置することができ運転の騒音を避けることが可能となる。
【００４９】
更に、空気圧縮装置部をドクター装置部に対し長いホースを介して装脱自在に設けることにより、患者から離れた位置に配置することが可能となり、空気圧縮装置部の運転による騒音を避けて診療をすることが可能となる。また、装置全体を搬送車にて搬送可能な構成にしたことにより、搬送が安全かつ容易になる。
【図面の簡単な説明】
【図１】本発明の実施の形態１に係るユニット本体の概略構成を示す一部断面図である。
【図２】（ａ）はドクター装置部の側面図、（ｂ）は同正面図である。
【図３】（ａ）はアシスタント装置部の内面を示す図、（ｂ）は一部を断面にした側面図、（ｃ）は同外面図、（ｄ）は同上面図である。
【図４】（ａ）は蓋体内面図、（ｂ）は一部を断面にした側面図、（ｃ）は同外面図、（ｄ）は同上面図である。
【図５】ドクター装置部とアシスタント装置部との装着状態を示す図である。
【図６】本発明の実施の形態２に係り（ａ）は搬送車に本発明のユニット本体を積載した側面図、（ｂ）は同正面図、（ｃ）は同背面図、（ｄ）は同上面図である。
【図７】本発明の実施の形態３に係るドクター装置部に空気圧縮装置を備えた斜視図である。
【図８】アシスタント装置部の正面を示す斜視図である。
【図９】蓋体の背面を示す斜視図である。
【図１０】空気圧縮装置を引き出した状態を示す斜視図である。
【図１１】従来の治療装置を示す斜視図である。
【図１２】従来の治療装置を示す斜視図である。
【図１】
0004674734.tif 000002
【図２】
0004674734.tif 000003
【図３】
0004674734.tif 000004
【図４】
0004674734.tif 000005
【図５】
0004674734.tif 000006
【図６】
0004674734.tif 000007
【図７】
0004674734.tif 000008
【図８】
0004674734.tif 000009
【図９】
0004674734.tif 000010
【図１０】
0004674734.tif 000011
【図１１】
0004674734.tif 000012
【図１２】
0004674734.tif 000013